(57)【特許請求の範囲】
【請求項１】
少なくとも３つの金属製抵抗器プレート（１１，１２，１３）を含むスタックを有する電力抵抗器であって、各々の抵抗器プレートは、互い違いに相互接続された複数の横方向ウェブ（１５）によって構成される少なくとも１つの蛇行構造体を有し、
スタックの方向で連続する抵抗器プレート（１１，１２，１３）は、互いに対して９０°回転されており、
各々の抵抗器プレート（１１，１２，１３）は、複数の締結用開口部（３１）と複数の締結要素（３３）との配列を有し、この締結用開口部と締結要素との配列は、各々の抵抗器プレートの９０°の回転に対して軸対称であり、
スタックに含まれる全ての抵抗器プレート、またはスタックに含まれる、ベースプレートを除く全ての抵抗器プレートは、互いに同一に形成されていることを特徴とする電力抵抗器。
【請求項２】
スタックに含まれる全ての抵抗器プレート（１１，１２，１３）は、共通の締結装置によって互いに締結されていることを特徴とする請求項１に記載の電力抵抗器。
【請求項３】
抵抗器プレート（１１，１２，１３）は、四角形であり、対応する締結要素（３３）を受け入れるために、各々の角部領域に締結用開口部（３１）がそれぞれ設けられていることを特徴とする請求項１または２に記載の電力抵抗器。
【請求項４】
抵抗器プレート（１１，１２，１３）は、該抵抗器プレートの締結用開口部（３１）を通される締結用バーによって互いに固定されていることを特徴とする請求項３に記載の電力抵抗器。
【請求項５】
締結要素（３３）は、抵抗器プレート（１１，１２，１３）から絶縁されていることを特徴とする請求項３または４に記載の電力抵抗器。
【請求項６】
少なくとも２つの抵抗器プレート（１１，１３）は、電気接点として少なくとも１つの対応する連結手段（４１，４３）を有することを特徴とする請求項１〜５のいずれかに記載の電力抵抗器。
【請求項７】
少なくとも１つの抵抗器プレート（１１）は、絶縁体（４９）を固定する少なくとも１つの対応する連結手段（４５，４７）を有することを特徴とする請求項１〜６のいずれかに記載の電力抵抗器。
【請求項８】
スタック方向に連続する２つの抵抗器プレート（１１，１２，１３）は、スペーサ（３７，３９）によって互いに離間されており、このスペーサは、選択的に絶縁性または導電性であることを特徴とする請求項１〜７のいずれかに記載の電力抵抗器。
【請求項９】
抵抗器プレート（１１，１２，１３）は、蛇行構造体の２つの端部において、横方向ウェブ（１５）よりも幅広に設けられた対応する端部コネクタウェブ（２１）を有することを特徴とする請求項１〜８のいずれかに記載の電力抵抗器。
【請求項１０】
抵抗器プレート（１１，１２，１３）は、中央領域において横方向ウェブ（１５）よりも幅広に設けられた少なくとも１つの中央コネクタウェブ（２３）を有することを特徴とする請求項１〜９のいずれかに記載の電力抵抗器。
【請求項１１】
横方向ウェブ（１５）は、２つの隣接する横方向ウェブの間に形成された介在空間（１７）に沿って、部分的にまたは全長にわたって互いに絶縁されていることを特徴とする請求項１〜１０のいずれかに記載の電力抵抗器。
【請求項１２】
横方向ウェブ（１５）は、圧入、成形または発泡された充填材料または被膜によるストリップ状の挿入物によって介在空間（１７）に沿って互いに絶縁されていることを特徴とする請求項１１に記載の電力抵抗器。
【請求項１３】
各々の抵抗器プレート（１１，１２，１３）の蛇行構造体は、互い違いの切り込みによって形成されていることを特徴とする請求項１〜１２のいずれかに記載の電力抵抗器。
【発明の詳細な説明】
【技術分野】
【０００１】
本発明は、発電機や周波数変換器で典型的に使用される電力抵抗器に関する。このような電力抵抗器は、典型的に数ミリ秒〜数秒で電気エネルギを大幅に減少させる必要がある発電装置の特定の動作状態において電気エネルギを熱エネルギに変換するように機能する。このような状態は、例えば、風力タービンや水力発電所などで生じる。
【背景技術】
【０００２】
このような電力抵抗器は、複数の金属製抵抗器プレートのスタックによって構成することができ、スタックの各々の抵抗器プレートは、互い違いに連結された複数の連続する横方向ウェブによって構成される少なくとも１つの蛇行構造体を有する。これにより、対応する用途に容易に適合させることができる単純な構造の抵抗器ユニットが提供される。
【０００３】
しかし、このような抵抗器ユニットでは、機械的安定性に関する問題が起こりうる。すなわち、各々の抵抗器プレートに電流が流れた場合、この電流は隣接する横方向ウェブ内で反対方向に流れる。隣接する横方向ウェブで誘導される磁界の相互作用により、横方向ウェブの間で相互に反発力が発生する。隣接する横方向ウェブの間の介在空間により、抵抗器プレートはたわみやすい。よって、横方向ウェブの相互の反発力によって、横方向ウェブの向き、すなわち蛇行構造が延びる方向（以下では対応する抵抗器プレートの“長手方向”とも呼ぶ）に垂直なプレート平面内で抵抗器プレートが膨張する。従って、個々の抵抗器プレートは、上述の反発力や膨張力を吸収し、抵抗器ユニットに必要な機械的安定性を付与する安定したホルダまたは他の締結装置に挿入する必要がある。このようなホルダまたは他の締結装置は、特に、対応する抵抗器プレートの端部領域が引きちぎられるのを防止するとともに、電力抵抗器を（スイッチキャビネットなどの）他の構造体に固定するときに抵抗器ユニットの十分な形状安定性を保証する必要がある。
【発明の概要】
【発明が解決しようとする課題】
【０００４】
本発明の目的は、蛇行構造体を有する複数の抵抗器プレートのスタックを含む電力抵抗器であって、電力抵抗器内で発生する膨張力にもかかわらず、単純でかつ安価な設計で抵抗器プレートの安定した配置を可能とする電力抵抗器を提供することである。
【課題を解決するための手段】
【０００５】
上述の目的は、請求項１に記載の特徴を有する電力抵抗器、特にスタックの方向に連続する抵抗器プレートが互いに対して９０°回転された電力抵抗器によって達成される。
【０００６】
電力抵抗器は、スタックの方向で積み重なるように、特に互いに平行でかつ離間されて配置された少なくとも２つの抵抗器プレートのスタックを含む。２番目ごとの抵抗器プレートは、対応するプレート平面内で前の抵抗器プレートの配向に対して、そして蛇行構造体の延びる方向（すなわち、長手方向）に対して９０°回転される。これは、横方向ウェブの向きに垂直に発生する反発力や膨張力も、抵抗器プレートと次の抵抗器プレートとで互いに対して同様に９０°回転されることを意味する。これにより、各々の抵抗器プレートの横方向ウェブおよび／または蛇行構造体の端部に設けられて横方向ウェブに平行に延びる端部コネクタウェブは、（９０°回転された）隣接する抵抗器プレートの反発力や膨張力を吸収することができる。よって、配向が変更されていない抵抗器プレートの配置に比べて、抵抗器プレートの相互の締結のために用いられるホルダまたは締結装置に対する機械的な要求がかなり小さくなる。
【０００７】
スタックの全ての抵抗器プレートは、好ましくは、共通の締結装置によって互いに締結される。長手方向で発生する１つの抵抗器プレートの膨張力が（９０°回転された）隣接する１つまたは複数の抵抗器プレートに伝達されるので、このような締結装置は単純でかつ安価な構造を有しうる。抵抗器プレートの横方向、すなわち各々の蛇行構造体の横方向ウェブが延びる方向に沿った固有の安定性により、この方向における力は、締結装置に特別な要求を課すことなく、抵抗器プレートによって吸収される。
【０００８】
特に有利な実施例によると、抵抗器プレートは、角が尖ったあるいは角が丸い四角形である。抵抗器プレートは、好ましくは矩形、特に正方形であり、辺の長さが等しくない場合には、長い辺が必ずしも上述の長手方向を定めるものではない（長手方向は、抵抗器プレートの蛇行構造体の延びる方向によってのみ定められる）。このような四角形の抵抗器プレートでは、対応する締結要素を受け入れる締結用開口部が少なくとも各々の角部領域に設けられることが好ましい。これにより、特に単純で、それでも安定した抵抗器プレートの互いに対する締結が可能となる。異なる抵抗器プレートの締結用開口部は、好ましくは互いに整列して設けられる。このため、整列した締結用開口部に通される共通の締結要素を使用することができる。
【０００９】
スタックの抵抗器プレートは、例えば、抵抗器プレートの締結用開口部を通される締結バーを介して互いに締結可能である。締結バーは、ねじ付きバーまたはねじとすることができる。これにより、スタックの自立式構造が、抵抗器プレートの相互の締結に必要なケージなどの形態の外側ホルダを必要としない単純な方法で形成される。
【００１０】
上述の締結要素、特に上述の締結バーは、好ましくは、抵抗器プレートから電気的に絶縁されている。これは、例えば、嵌められたマイカパイプによって達成される。
【００１１】
実施例によると、上述の締結用開口部および締結要素の配置は、対応する抵抗器プレートの９０°の回転に対して軸対称である。これは、上述の１つの抵抗器プレートが他の抵抗器プレートに対して９０°回転されたときに、抵抗器プレートの締結用開口部が、隣接する他の抵抗器プレートの締結用開口部とも整列することを意味する。これにより、抵抗器プレートを特に自在に組み合わせることができるとともに、抵抗器プレートを共通の部品として設計可能なため、電力抵抗器は、他の用途のためにさらに容易に変更することができる。
【００１２】
さらに、少なくとも２つの抵抗器プレートが、抵抗器プレートの電気接点となる少なくとも１つの対応するコネクタ手段を有することが好ましい。このコネクタ手段は、開口部（例えば、ボア）または挿入、配置および／または溶接されたボルトとして構成することができる。スタックの複数の抵抗器プレートまたは全ての抵抗器プレートに同じコネクタ手段が設けられれば、電力抵抗器を所望の抵抗値に特に自在に一致させることができる。例えば、各々の抵抗器プレートは、蛇行構造体の２つの端部に電気接点のためのコネクタ手段を有しうる。
【００１３】
さらに、少なくとも１つの抵抗器プレートが、絶縁体を固定するための少なくとも１つの対応する連結手段を有することが好ましい。この連結手段は、例えば、開口部、ねじあるいはボルトとすることができる。対応する抵抗器プレートに固定された絶縁体は、例えば、スイッチキャビネットにおいて電力抵抗器を他の構造体に締結する構造を可能にする。
【００１４】
抵抗器プレートに上述の締結用開口部、コネクタ手段および連結手段が設けられる場合には、（例えば、ボアであれば）同じ工具によって単純な方法で挿入できる３つの異なる機械的および／または電気的手段の群が利用可能である。
【００１５】
他の有利な実施例では、スタック方向で連続する２つの抵抗器プレートは、対応するスペーサによって互いに離間され、これらのスペーサは、選択的に絶縁性あるいは導電性のものとすることができる。スペーサは、好ましくは互いに平行に配置された抵抗器プレートを所定の間隔で離間させる。よって、２つの隣接する抵抗器プレートの間にスタックの方向で介在空間が形成され、この空間は特に冷却（空冷または液冷）のために使用される。２つの隣接する抵抗器プレートの間の空間は、所望の用途に従って独立したスペーサによって自在に設定できる。これらのスペーサは、スリーブによって構成可能であり、このようなスリーブは、抵抗器プレートの間の特に良好な空気循環、そしてこれに伴う環境空気への良好な熱放散を可能にする。他の選択肢として、例えば、ウェブまたはプレートの形態で端から端まで延在するスペーサを設けることもできる。特に、セラミック、マイカ、ゴム、シリコーンまたはプラスチックが絶縁材料として考えられる。電力抵抗器は、絶縁性あるいは導電性のスペーサ、または（全ての抵抗器プレートが互いに絶縁されていれば）個々の抵抗器の数の対応する選択によって、スタックの個々の抵抗器プレートの並列回路または直列回路を構成することができる。
【００１６】
抵抗器プレートは、好ましくは、対応する端部コネクタウェブ（いわゆるターミナル）を有し、このコネクタウェブは、対応する長手方向に沿って設けられた蛇行構造体の２つの端部において、蛇行構造体の横方向ウェブよりも幅広に設けられている。よって、上述の締結装置のための締結用開口部は、隣接する抵抗器プレートの上述の膨張力を確実に吸収するように特に安定した端部コネクタウェブに設けることができる。選択的に、または追加して、上述の締結用開口部は、横方向ウェブに設けることもできる。
【００１７】
上述の端部コネクタウェブに加えて、抵抗器プレートは、少なくとも１つの中央コネクタウェブを有し、この中央コネクタウェブは、対応する中央領域において同様に横方向ウェブよりも幅広に設けられている。これにより、電力抵抗器の作用領域を構成する各々の抵抗器プレートの蛇行構造体は、複数のセグメントに分割される。これらのセグメントは、同じあるいは異なる形状を有することができ、同じあるいは異なる電気抵抗を有することができる。このような中央コネクタウェブは、横方向における機械的安定性の増加にも寄与する。対応する締結要素を受け入れる追加の締結用開口部が、端部コネクタウェブに設けられる締結用開口部に加えて中央コネクタウェブに設けられることが好ましい。さらに、少なくとも１つのコネクタ手段（例えば、開口部またはボルト）が電気接点として中央コネクタウェブにそれぞれ設けられることが好ましい。
【００１８】
他の有利な実施例では、各々の抵抗器プレートの蛇行構造体の横方向ウェブは、２つの隣接する横方向ウェブの間に形成される介在空間に沿って、対応する介在空間の一部のみあるいはその全長にわたって互いに絶縁されている。これにより、望ましくないアークによる点火が防止される。個々の横方向ウェブの変形は、磁気的な相互作用や熱膨張および外部振動によってかなり大きくなり、互いに隣接して配置された横方向ウェブが短時間にわたって互いに接触あるいはほぼ接触するおそれがある。この作用は、アークによる点火を引き起こし、電力抵抗器または関連する発電装置を損傷または破壊する危険性がある。この危険性は、横方向ウェブを相互に絶縁することによって防止され、逆に２つの隣接する横方向ウェブの間の介在空間を狭くすることができ、これは、安定性の向上およびコンパクトな構造に寄与する。
【００１９】
横方向ウェブの相互の絶縁は、特に絶縁ストリップ（すなわち、ストリップ状の絶縁プレート）によって得られ、このような絶縁ストリップは、２つの隣接する横方向ウェブの間の介在空間に挿入されるとともに、特にセラミックス、マイカまたはプラスチック、例えば、ポリベンゾイミダゾール（ＰＢＩ）を含む。このような絶縁ストリップの代わりに、粒状体または他の充填材、例えば加熱したポリベンゾイミダゾールを２つの隣接する横方向ウェブの間の介在空間に圧入することもできる。他の選択肢として、例えば、シリコーン、セメントまたはコンクリートの流し込み、注入または発泡によって、２つの隣接する横方向ウェブの間の介在空間を完全にあるいは部分的に満たす十分に硬化した液体絶縁材料を使用することもできる。さらに、十分に硬化された液体絶縁材料は、例えば、ポリベンゾイミダゾールの薄いフィルムの形態で横方向ウェブを被膜として覆うように用いることもでき、このフィルムは、絶縁に加えて水分からの保護（腐食保護）を提供する。
【００２０】
個々の抵抗器プレートは、各々の抵抗器プレートの蛇行構造体が好ましくは互いにオフセットして設けられる互い違いの切り込みによって形成される場合に、特に単純でかつ安価に製造される。隣接する横方向ウェブの間の切り込みは、特に対応する抵抗器プレートが比較的大きいプレートから切り取られるのと同じ工程で、例えば、レーザビーム、高圧ウォータージェット、のこぎりまたはミルによって設けることができる。
【００２１】
有利な実施例では、スタックの全ての抵抗器プレート、またはベースプレートを除くスタックの全ての抵抗器プレートは、同一、すなわち共通部品として形成される。これにより、特に安価な製造および保管が可能になり、対応する電力抵抗器を自在に構成することができる。
【図面の簡単な説明】
【００２２】
【図１】電力抵抗器の透視図である。
【図２】第１の抵抗器プレートの平面図である。
【図３】第２の抵抗器プレートの平面図である。
【図４】第３の抵抗器プレートの平面図である。
【図５】断面の詳細説明図である。
【発明を実施するための形態】
【００２３】
図１に示す電力抵抗器は、互いに平行（ｐｌａｎｏｐａｒａｌｌｅｌ）に配置された抵抗器プレートのスタック、すなわちベースプレートを構成する第１の抵抗器プレート１１（図２参照）、第２の抵抗器プレート１２（図３参照）および第３の抵抗器プレート１３（図４参照）を含む。矩形の抵抗器プレート１１，１２，１３は、金属製、典型的にはステンレス鋼または他の適切な合金製であり、図１〜図４とは違って丸い角部を有しうる。抵抗器プレート１１，１２，１３は、以下で説明するように、互いに固定されているとともに、互いに導電性を有するように接続されている。
【００２４】
各々の抵抗器プレート１１，１２，１３は、連続する複数の横方向ウェブ１５によって構成される蛇行構造体を有する。隣接する横方向ウェブ１５は、スリット状の介在空間１７によって互い違いに離間されており、短い連結ウェブ１９によって互いに連結されている。図４で第３の抵抗器プレートについて例示しているように、横方向ウェブ１５は、横方向Ｑに延びており、対応する抵抗器プレートの上述のように構成された蛇行構造体は、横方向ウェブ１５の向きおよび横方向Ｑに垂直に、すなわち長手方向Ｌに延びている。この実施例では、横方向ウェブ１５は、各々の抵抗器プレート１１，１２，１３の横方向長さの全長にわたって延びている。抵抗器プレート１１，１２，１３は、図示した単一の蛇行構造体の代わりに、互いに隣接して延びる複数の蛇行構造体を含むこともできる。
【００２５】
各々の抵抗器プレート１１，１２，１３は、端部コネクタウェブ２１をそれぞれ有し、この端部コネクタウェブ２１は、蛇行構造体の２つの端部において横方向ウェブ１５よりも幅広に設けられている。各々の抵抗器プレート１１，１２，１３は、さらに、中央コネクタウェブ２３を有し、この中央コネクタウェブ２３も、中央領域において同様に横方向ウェブ１５よりも幅広に設けられている。中央コネクタウェブ２３は、抵抗器プレート１１，１２，１３の蛇行構造体を２つの作用領域２５に分割する。
【００２６】
図１の透視図から分かるように、スタック方向で連続する抵抗器プレート１１，１２，１３は、蛇行構造体の延びる対応する方向に対して（図４に示す対応する長手方向Ｌに対して）互いに９０°回転されている。換言すると、第２の抵抗器プレート１２は、プレート平面内で第１の抵抗器プレート１１に対して９０°回転され、第３の抵抗器プレート１３は、プレート平面内で第２の抵抗器プレート１２に対して９０°回転される。よって、隣接する２つの抵抗器プレート１１，１２または１２，１３の横方向ウェブ１５の向きが、これに応じて９０°回転される。
【００２７】
各々の抵抗器プレート１１，１２，１３は、９つの締結用開口部３１を有し、４つの締結用開口部３１は、対応する抵抗器プレート１１，１２，１３の角部領域に設けられている。他の締結用開口部３１が、端部コネクタウェブ２１の中央領域に設けられている。最後に、中央コネクタウェブ２３も、２つの端部と中央領域に３つの締結用開口部３１を有する。これにより、締結用開口部３１の３×３のマトリックスが得られる。
【００２８】
３つの抵抗器プレート１１，１２，１３の対応する締結用開口部３１は、互いに整列して設けられるとともに、３つの抵抗器プレート１１，１２，１３に共通する複数の締結要素３３を含む共通の締結装置を受け入れるように機能する。ここで示す実施例では、６つの締結要素３３のみが設けられており、すなわち対応する抵抗器プレート１１，１２，１３の３つの締結用開口部３１は使用されていない。ここで示す実施例では、締結要素３３は六角ナット３５と協働して抵抗器プレート１１，１２，１３のスタックを連結する六角ねじとして形成されている。
【００２９】
スペーサによって、抵抗器プレート１１，１２，１３が確実に互いに対して離間して配置される。一方では、絶縁スペーサ３７、例えば、対応する締結要素３３のための通路開口部を有するマイカプレートレットが設けられる。他方では、導電性スペーサ３９（例えば、金属製スリーブ）により、抵抗器プレートの端部コネクタウェブ２１が他の抵抗器プレート１１，１２，１３の端部コネクタウェブ２１との間で確実に導電性を有するように接続される。
【００３０】
上述の締結用開口部３１に加えて、第１の抵抗器プレート１１の端部コネクタウェブ２１と第３の抵抗器プレート１３の端部コネクタウェブ２１にコネクタ手段が設けられており、このコネクタ手段は、電力抵抗器と関連する発電装置との電気接点として機能する。各々のコネクタ手段は、コネクタボルト４３が挿入されるコネクタ開口部４１（図２，図４参照）を含む。例えば、ケーブルラグ（図示省略）を対応するコネクタボルト４３に締結することもできる。このようなコネクタ手段（コネクタ開口部４１およびコネクタボルト４３）は、少なくとも第３の抵抗器プレート１３の中央コネクタウェブにも設けることができ、これにより、図示の抵抗器の抵抗値をさらに自在に一致させ、かつ電力抵抗器を潜在的なデバイダとして使用することができる。
【００３１】
さらに、関連する支持構造体（例えば、スイッチキャビネット内）に電力抵抗器が固定可能となるように、絶縁体を固定するための連結手段が第１の抵抗器プレート１１に設けられる。これらの連結手段は、対応する絶縁ブロック４９（図１参照）に螺合される対応する連結用ねじ４７が挿入される６つの連結用開口部４５（図２参照）を含む。
【００３２】
図５は、図１の電力抵抗器の断面の詳細説明図である。六角ねじである締結要素３３が、抵抗器プレート１１，１２，１３の締結用開口部３１を同様に貫通するとともに、六角ねじを抵抗器プレート１１，１２，１３から絶縁するマイカパイプ５１に囲まれていることが分かる。
【００３３】
図１〜図５に示す電力抵抗器は、単純な設計を有し、安価な方法で製造可能である。抵抗器プレート１１，１２，１３は、比較的大きいプレートから切り抜くことができ、同時に対応する蛇行構造体の横方向ウェブ１５を形成するように介在空間１７を切り込みとして設けることができる。締結用開口部３１、コネクタ開口部４１および連結用開口部４５は、ボアとして単純な方法で設計可能である。各々の抵抗器プレート１１，１２，１３の所望の抵抗値は、材料、抵抗器プレート１１，１２，１３の寸法および厚み、横方向ウェブ１５および介在空間１７の数とともに横方向ウェブ１５の幅の適切な選択によって設定可能である。各々の抵抗器プレート１１，１２，１３の厚みに対する横方向ウェブ１５の幅の所望の比率、例えば１（すなわち、正方形の断面）は、このように一般に実現可能である。また、抵抗器プレート１１，１２，１３をスタンピングによって製造することもできるが、この場合には、プレートの厚みに対するウェブの幅の比率を大きくする必要がある。
【００３４】
電力抵抗器は、例えば、スタックの抵抗器プレート１１，１２，１３の数の変更や、絶縁スペーサ３７および導電性スペーサ３９の配置の変更により直列回路または並列回路を選択的に実現することによって、異なる要求に自在に一致させることができる。さらに、電力抵抗器は、各々の抵抗器プレート１１，１２，１３の中央コネクタウェブ２３による２つの作用領域への分割によって、潜在的なデバイダとして使用可能である。圧力降下が電力抵抗器または電力抵抗器の部品で測定される場合には、電力抵抗器は電流センサとして使用可能である。電力抵抗器の抵抗値は、介在空間１７を横切って２つの横方向ウェブ１５を（例えば、クランピングまたは溶接などによって）連結する導電性ブリッジにより、単純な方法で均等化できる。
【００３５】
抵抗器プレート１１，１２，１３に相互に張力をかけて図１に示す締結要素３３によってスタックを構成することで、安定した自立式構造が単純な方法で形成される。この点に関して、抵抗器プレート１１，１２，１３が、スタック方向で互いに対してそれぞれ９０°回転されていることが特に有利である。横方向ウェブ１５における電流の流れによって生じる磁気反発力が、横方向ウェブ１５の向きに垂直な（図４の対応する長手方向Ｌに沿って）膨張力を発生させる。このような膨張力は、締結要素３３を介して、対応する隣接する抵抗器プレート１１，１２，１３の比較的幅広の端部コネクタウェブ３１（そして選択的に中央コネクタウェブ２３）によって吸収（ｔａｋｅ  ｕｐ）可能である。よって、上述の膨張力は、外側支持構造体によって吸収する必要がなく、締結要素３３（例えば、六角ねじ）が十分に大きい寸法を有することだけに注意すればよい。
【００３６】
図示の実施例では、３つの抵抗器プレート１１，１２，１３の締結用開口部３１の３×３のマトリックスは、各々の抵抗器プレート１１，１２，１３の９０°の回転に対して軸対称である。これにより、複数の市販のタイプの抵抗器プレートを特に自在に組み合わせることができるので、電力抵抗器は他の用途のためにさらに容易に変更可能である。また、これにより、特に、スタックの隣接する抵抗器プレートに共通の部品を使用することができ、製造および保管の労力が低減される。しかし、他の選択肢として、方向のコード化を実現し、個々の抵抗器プレート１１，１２，１３を互いに対して所定の単一の配向でのみ確実に組み立てることができるように、締結用開口部３１の軸対称でない配置も可能である。従って、互いに対して９０°回転された隣接する抵抗器プレート１１，１２，１３において、単純な方法で確実に蛇行構造体がそれぞれ延びる方向の配向を常に維持することができる。
【００３７】
最後に、図示の実施例に関して、隣接する横方向ウェブ１５の間の介在空間１７は、絶縁材料で完全にまたは部分的に満たすこともできる。この充填材料は、隣接する横方向ウェブ１５の間のスペーサとして機能し、隣接する横方向ウェブ１５が磁気的相互作用、熱的効果および／または外部振動によって近づきすぎた場合に発生しうる望ましくないアークによる点火を防止することができる。
【符号の説明】
【００３８】
１１…第１の抵抗器プレート
１２…第２の抵抗器プレート
１３…第３の抵抗器プレート
１５…横方向ウェブ
１７…介在空間
１９…連結ウェブ
２１…端部コネクタウェブ
２３…中央コネクタウェブ
２５…作用領域
３１…締結用開口部
３３…締結要素
３５…六角ナット
３７…絶縁スペーサ
３９…導電性スペーサ
４１…コネクタ開口部
４３…コネクタボルト
４５…連結用開口部
４７…連結用ねじ
４９…絶縁ブロック
５１…マイカパイプ
Ｌ…長手方向
Ｑ…横方向
【図１】
0005887356.tif 000002
【図２】
0005887356.tif 000003
【図３】
0005887356.tif 000004
【図４】
0005887356.tif 000005
【図５】
0005887356.tif 000006